(57)【要約】【課題】より多様な情報源に基づいて緊急情報を提供する。【解決手段】車両Ａ内に持ち込まれ、１つまたは複数の文字を示す文字情報を格納するサーバ２から前記文字情報を受信して送信する携帯端末２０と、車両Ａに備え付けられ、携帯端末２０から送信される前記文字情報を受信して利用者に提供する情報提供装置３０と、を備える車両用情報提供システムであって、携帯端末２０は、サーバ２から受信した前記文字情報が緊急性を示す特定の文字を含むか否かを判定する文字判定部２４と、文字判定部２４の判定結果に基づいて情報提供装置３０への前記特定の文字を含む前記文字情報の送信を決定する送信決定部２４と、を備える。【選択図】図１
2020107964.tif 000002
【特許請求の範囲】
【請求項１】
車両（Ａ）内に持ち込まれ、１つまたは複数の文字を示す文字情報を格納するサーバ（２）から前記文字情報を受信して送信する携帯端末（２０）と、
前記車両（Ａ）に備え付けられ、前記携帯端末（２０）から送信される前記文字情報を受信して利用者に提供する情報提供装置（３０）と、を備える車両用情報提供システムであって、
前記携帯端末（２０）は、前記サーバ（２）から受信した前記文字情報が緊急性を示す特定の文字を含むか否かを判定する文字判定部（２４）と、前記文字判定部（２４）の判定結果に基づいて前記情報提供装置（３０）への前記特定の文字を含む前記文字情報の送信を決定する送信決定部（２４）と、を備える
車両用情報提供システム。
【請求項２】
１つまたは複数の文字を示す文字情報を格納するサーバ（２）から前記文字情報を車両（Ａ）に持ち込まれた携帯端末（２０）で受信して送信し、
携帯端末（２０）から送信される前記文字情報を前記車両（Ａ）に備え付けられた情報提供装置（３０）で受信して利用者に提供する車両用情報提供方法であって、
前記携帯端末（２０）は、前記サーバ（２）から受信した前記文字情報が緊急性を示す特定の文字を含むか否かを判定する文字判定ステップ（ＳＴ２）と、前記文字判定ステップ（ＳＴ２）の判定結果に基づいて前記情報提供装置（３０）への前記特定の文字を含む前記文字情報の送信を決定する送信決定ステップ（ＳＴ３）と、を実行する
車両用情報提供方法。
【請求項３】
車両（Ａ）内に持ち込まれ、１つまたは複数の文字を示す文字情報を格納するサーバ（２）から前記文字情報を受信して送信する携帯端末（２０）と、
前記車両（Ａ）に備え付けられ、前記携帯端末（２０）から送信される前記文字情報を受信して利用者に提供する情報提供装置（３０）と、を備える車両用情報提供システム（１）で利用に供されるプログラムであって、
前記携帯端末（２０）が備える演算処理回路（２４）に、前記サーバ（２）から受信した前記文字情報が緊急性を示す特定の文字を含むか否かを判定する文字判定ステップ（ＳＴ２）と、前記文字判定ステップ（ＳＴ２）の判定結果に基づいて前記情報提供装置（３０）への前記特定の文字を含む前記文字情報の送信を決定する送信決定ステップ（ＳＴ３）と、を実行させる
プログラム。
【請求項４】
車両（Ａ）内に持ち込まれ、１つまたは複数の文字を示す文字情報を格納するサーバ（２）から前記文字情報を受信して送信する携帯端末（２０）と、
前記車両（Ａ）に備え付けられ、前記携帯端末（２０）から送信される前記文字情報を受信して利用者に提供する情報提供装置（３０）と、を備える車両用情報提供システムであって、
前記情報提供装置（３０）は、前記携帯端末（２０）から受信した前記文字情報が緊急性を示す特定の文字を含むか否かを判定する文字判定部（３３）と、前記文字判定部（３３）の判定結果に基づいて前記特定の文字を含む前記文字情報の前記利用者への提供を決定する情報提供決定部（３３）と、を備える
車両用情報提供システム。
【請求項５】
１つまたは複数の文字を示す文字情報を格納するサーバ（２）から前記文字情報を車両（Ａ）に持ち込まれた携帯端末（２０）で受信して送信し、
前記携帯端末（２０）から送信される前記文字情報を前記車両（Ａ）に備え付けられた情報提供装置（３０）で受信して利用者に提供する車両用情報提供方法であって、
前記情報提供装置（３０）は、前記携帯端末（２０）から受信した前記文字情報が緊急性を示す特定の文字を含むか否かを判定する文字判定ステップ（ＳＴ１３）と、前記文字判定ステップ（ＳＴ１３）の判定結果に基づいて前記特定の文字を含む前記文字情報の前記利用者への提供を決定する情報提供決定ステップ（ＳＴ１４）と、を実行する
車両用情報提供方法。
【請求項６】
車両（Ａ）内に持ち込まれ、１つまたは複数の文字を示す文字情報を格納するサーバ（２）から前記文字情報を受信して送信する携帯端末（２０）と、
前記車両（Ａ）に備え付けられ、前記携帯端末（２０）から送信される前記文字情報を受信して利用者に提供する情報提供装置（３０）と、を備える車両用情報提供システム（１）で利用に供されるプログラムであって、
前記情報提供装置（３０）が備える演算処理回路（３３）に、前記携帯端末（２０）から受信した前記文字情報が緊急性を示す特定の文字を含むか否かを判定する文字判定ステップ（ＳＴ１３）と、前記文字判定ステップ（ＳＴ１３）の判定結果に基づいて前記特定の文字を含む前記文字情報の前記利用者への提供を決定する情報提供決定ステップ（ＳＴ１４）と、を実行させる
プログラム。
【発明の詳細な説明】
【技術分野】
【０００１】
本発明は、車両用情報提供システム、車両用情報提供方法及びプログラムに関する。
【背景技術】
【０００２】
従来の緊急情報表示装置として、特許文献１に開示されるものがある。かかる緊急情報表示装置は、テレビジョン放送の受信信号に含まれる緊急放送の情報や、カーナビゲーションシステムが保有し乃至は取得した情報を利用して自動的に緊急事態の状況を利用者（車両の運転者等）に表示させるものである。
【先行技術文献】
【特許文献】
【０００３】
【特許文献１】特開２００６−２３５９１１号公報
【発明の概要】
【発明が解決しようとする課題】
【０００４】
しかしながら、かかる緊急情報表示装置は、テレビジョン放送の受信信号に基づいて緊急事態の状況を表示することから、より多様な情報源に基づいて緊急情報を表示することが望まれる。
【０００５】
本開示は、より多様な情報源に基づいて緊急情報を提供することが可能となることを目的とするものである。
【課題を解決するための手段】
【０００６】
本開示の第１の観点に係る車両用情報提供システムは、車両内に持ち込まれ、１つまたは複数の文字を示す文字情報を格納するサーバから前記文字情報を受信して送信する携帯端末と、
前記車両に備え付けられ、前記携帯端末から送信される前記文字情報を受信して利用者に提供する情報提供装置と、を備える車両用情報提供システムであって、
前記携帯端末は、前記サーバから受信した前記文字情報が緊急性を示す特定の文字を含むか否かを判定する文字判定部と、前記文字判定部の判定結果に基づいて前記情報提供装置への前記特定の文字を含む前記文字情報の送信を決定する送信決定部と、を備える。
【０００７】
本開示の第２の観点に係る車両用情報提供方法は、１つまたは複数の文字を示す文字情報を格納するサーバから前記文字情報を車両に持ち込まれた携帯端末で受信して送信し、
携帯端末から送信される前記文字情報を前記車両に備え付けられた情報提供装置で受信して利用者に提供する車両用情報提供方法であって、
前記携帯端末は、前記サーバから受信した前記文字情報が緊急性を示す特定の文字を含むか否かを判定する文字判定ステップと、前記文字判定ステップの判定結果に基づいて前記情報提供装置への前記特定の文字を含む前記文字情報の送信を決定する送信決定ステップと、を実行する。
【０００８】
本開示の第３の観点に係るプログラムは、車両内に持ち込まれ、１つまたは複数の文字を示す文字情報を格納するサーバから前記文字情報を受信して送信する携帯端末と、
前記車両に備え付けられ、前記携帯端末から送信される前記文字情報を受信して利用者に提供する情報提供装置と、を備える車両用情報提供システムで利用に供されるプログラムであって、
前記携帯端末が備える演算処理回路に、前記サーバから受信した前記文字情報が緊急性を示す特定の文字を含むか否かを判定する文字判定ステップと、前記文字判定ステップの判定結果に基づいて前記情報提供装置への前記特定の文字を含む前記文字情報の送信を決定する送信決定ステップと、を実行させる。
【０００９】
本開示の第４の観点に係る車両用情報提供システムは、車両内に持ち込まれ、１つまたは複数の文字を示す文字情報を格納するサーバから前記文字情報を受信して送信する携帯端末と、
前記車両に備え付けられ、前記携帯端末から送信される前記文字情報を受信して利用者に提供する情報提供装置と、を備える車両用情報提供システムであって、
前記情報提供装置は、前記携帯端末から受信した前記文字情報が緊急性を示す特定の文字を含むか否かを判定する文字判定部と、前記文字判定部の判定結果に基づいて前記特定の文字を含む前記文字情報の前記利用者への提供を決定する情報提供決定部と、を備える。
【００１０】
本開示の第５の観点に係る車両用情報提供方法は、１つまたは複数の文字を示す文字情報を格納するサーバから前記文字情報を車両に持ち込まれた携帯端末で受信して送信し、
前記携帯端末から送信される前記文字情報を前記車両に備え付けられた情報提供装置で受信して利用者に提供する車両用情報提供方法であって、
前記情報提供装置は、前記携帯端末から受信した前記文字情報が緊急性を示す特定の文字を含むか否かを判定する文字判定ステップと、前記文字判定ステップの判定結果に基づいて前記特定の文字を含む前記文字情報の前記利用者への提供を決定する情報提供決定ステップと、を実行する。
【００１１】
本開示の第６の観点に係るプログラムは、車両内に持ち込まれ、１つまたは複数の文字を示す文字情報を格納するサーバから前記文字情報を受信して送信する携帯端末と、
前記車両に備え付けられ、前記携帯端末から送信される前記文字情報を受信して利用者に提供する情報提供装置と、を備える車両用情報提供システムで利用に供されるプログラムであって、
前記情報提供装置が備える演算処理回路に、前記携帯端末から受信した前記文字情報が緊急性を示す特定の文字を含むか否かを判定する文字判定ステップと、前記文字判定ステップの判定結果に基づいて前記特定の文字を含む前記文字情報の前記利用者への提供を決定する情報提供決定ステップと、を実行させる。
【発明の効果】
【００１２】
本開示によれば、より様々な情報に基づいて緊急情報を提供することが可能となる。
【図面の簡単な説明】
【００１３】
【図１】本開示のいくつかの態様における車両用情報提供システムを示すブロック図である。
【図２】本開示の第１の態様における車両用情報提供システムの処理を示すシーケンス図である。
【図３】本開示の第２の態様における車両用情報提供システムの処理を示すシーケンス図である。
【発明を実施するための形態】
【００１４】
以下、発明を実施するための形態として、本開示のいくつかの態様について図を用いて説明する。
【００１５】
図１は、本開示のいくつかの態様における車両用情報提供システム１を示すブロック図である。車両用情報提供システム１は、携帯端末２０と、情報提供装置３０と、を備え、携帯端末２０を介してサーバ２と通信可能である。各構成要素と車両Ａとの関係を述べると、携帯端末２０は利用者によって車両Ａに適宜持ち込まれ、情報提供装置３０は車両Ａに備え付けられる。
【００１６】
ここで、サーバ２は、携帯端末２０に１つまたは複数の文字を含む文字情報を提供する様々なサービスを提供するサービス提供業者によって１つまたは複数が車両Ａ外に設置されるものであり、前記文字情報を格納する。サービスの一例としては、電子メールやショートメッセージの送受信を行う各種サービスが挙げられるがこれらに限定されない。サーバ２は、インターネット回線などのネットワークを通じて携帯端末２０と通信可能であり、前記文字情報を携帯端末２０に送信可能である。
【００１７】
携帯端末２０は、例えばスマートフォン（携帯電話）やタブレット機器などの携帯可能な大きさの情報提供機器であって、サーバ２と通信可能なものである。携帯端末２０には、サーバ２によって提供されるサービスを利用可能とするための（特に、前記文字情報を受信するための）各種アプリがインストールされている。携帯端末２０は、通信部２１と、操作部２２と、第１の表示部２３と、第１の制御部２４と、第１の記憶部２５と、第１の無線通信インターフェース２６と、を備える。このほか図示は省略するが、携帯端末２０は、マイクやスピーカなどの携帯端末２０の機能を実行するための各種機器を備える。
通信部２１は、各種復調器及び変調器を含み、例えばアンテナ部２１ａを介して、ネットワークに接続され、サーバ２や外部の他の装置からネットワークを介して供給された情報（前記文字情報や画像、プログラムを含む）を受信して、第１の制御部２４に供給したり、第１の制御部２４が送信する情報を、ネットワークを介してサーバ２や他の装置に供給したりする。
【００１８】
操作部２２は、例えばタッチパネルなど利用者の操作を受け付ける機器であり、アプリの機能の実行などの操作を受け付け、操作信号を第１の制御部２４に送信する。
【００１９】
第１の表示部２３は、例えばドットマトリクス型のカラーディスプレイであり、第１の制御部２４の画像描画制御のもとで画像表示を行う。
【００２０】
第１の制御部２４は、例えばマイクロコンピュータなどの１つまたは複数の演算処理回路、周辺回路及びプログラムを含む。より具体的には、第１の制御部２４は、ハードウェアとして第１の制御部２４が実行する処理（携帯端末２０全体の制御など）を実際に行うＣＰＵ（Central  Processing  Unit）と、ＣＰＵのメインメモリとして機能するＲＡＭ（Random  Access  Memory）と、第１の制御部２４に後述の処理などを実行させる各種プログラムを記憶するＲＯＭ（Read  Only  Memory）と、第１の制御部２４に入出力される情報（信号）をＣＰＵ用にデジタル変換したり出力用にアナログ変換したりする各種変換器と、を備える。第１の制御部２４は、ＣＰＵに加えて、第１の制御部２４が行う処理の一部をＣＰＵに代わって実行するための各種専用回路（例えば、画像処理回路など）を備えても良い。また、第１の制御部２４は、ソフトウェアとして第１の制御部２４が実行する処理を行うためのプログラムを備える。
【００２１】
第１の記憶部２５は、第１の制御部２４が処理を実行する際に使用するプログラムや特定の機能やサービスを実行するアプリ、これらに用いるデータなどを格納する。第１の記憶部２５は、フラッシュメモリなどのデータを書き換え可能な不揮発性記憶媒体などを含んで構成される。第１の記憶部２５は、メモリーカードなどの着脱容易なものを含んでもよい。
【００２２】
第１の無線通信インターフェース２６は、情報提供装置３０と無線接続するためのハードウェアインターフェース及びソフトウェアインターフェースであり、Ｂｌｕｅｔｏｏｔｈ（登録商標）や無線ＬＡＮなどの近距離無線通信の規格が用いられる。
【００２３】
情報提供装置３０は、例えば車両Ａに備え付けられるメータやセンターインフォメーションディスプレイ装置である。情報提供装置３０は、第２の無線通信インターフェース３１と、車両情報インターフェース３２と、第２の制御部３３と、第２の記憶部３４と、第２の表示部３５と、スピーカ３６と、を備える。このほか図示を省略するが、情報提供装置３０は、タッチスイッチや押釦スイッチなど操作部を備えてもよい。
【００２４】
第２の無線通信インターフェース３１は、携帯端末２０と無線接続するためのインターフェースであり、第１の無線通信インターフェース２６と同様の規格のハードウェアインターフェース及びソフトウェアインターフェースからなる。
【００２５】
車両情報インターフェース３２は、有線接続にて、車両Ａ内のエンジン制御部４０、ボディ制御部５０、エアコン６０、オーディオ７０、ナビゲーション装置８０、及びその他の車両Ａ内の機器とＣＡＮ通信を行うためのハードウェアインターフェース及びソフトウェアインターフェースである。ＣＡＮ通信により、車両情報インターフェース３２は、車両Ａ内の機器から走行速度、エンジン回転数、残エネルギー量、車室内温度、外気温、エアコン６０の稼働状況、オーディオ７０の稼働状況、ナビゲーション情報などの車両情報を取得し、第２の制御部３３に送信する。これらの車両情報は、第２の制御部３３の制御のもとで第２の表示部３５の画像表示及びスピーカ３６の音声出力によって利用者に提供される。
【００２６】
第２の制御部３３は、例えばマイクロコンピュータなどの１つまたは複数の演算処理回路、周辺回路及びプログラムを含む。より具体的には、第２の制御部３３は、ハードウェアとして第２の制御部３３が実行する処理（情報提供装置３０全体の制御など）を実際に行うＣＰＵと、ＣＰＵのメインメモリとして機能するＲＡＭと、第１の制御部２４に後述の処理などを実行させる各種プログラムを記憶するＲＯＭと、第１の制御部２４に入出力される情報（信号）をＣＰＵ用にデジタル変換したり出力用にアナログ変換したりする各種変換器と、を備える。第２の制御部３３は、ＣＰＵに加えて、第２の制御部３３が行う処理の一部をＣＰＵに代わって実行するための各種専用回路（例えば、画像処理回路など）を備えても良い。また、第２の制御部３３は、ソフトウェアとして第１の制御部２４が実行する処理を行うためのプログラムを備える。
【００２７】
第２の記憶部３４は、第２の制御部３３が処理を実行する際に使用するプログラムや処理に用いるデータなどを格納する。第２の記憶部３４は、フラッシュメモリなどのデータを書き換え可能な不揮発性記憶媒体などを含んで構成される。第２の記憶部３４は、メモリーカードなどの着脱容易なものを含んでもよい。
【００２８】
第２の表示部３５は、例えばメータやセンターディスプレイ装置に内蔵されるドットマトリクス型のカラーディスプレイであり、第２の制御部３３の画像描画制御のもとで画像表示を行う。
【００２９】
スピーカ３６は、メータに内蔵されるスピーカや車両Ａに備え付けられるスピーカ、または利用者に車両Ａ内に持ち込まれるヘッドセットであり、第２の制御部３３の音声出力制御のもとで音声出力を行う。
【００３０】
以上のように、車両用情報提供システム１が構成される。
【００３１】
（本開示の第１の態様）
次に、本開示の第１の態様について、図２を用いて説明する。本開示の第１の態様は、車両用情報提供システム１において、携帯端末２０が、サーバ２から受信した前記文字情報が緊急性を示す特定の文字を含むか否かを判定する文字判定部と、前記文字判定部の判定結果に基づいて情報提供装置３０への前記特定の文字を含む前記文字情報の送信を決定する送信決定部と、備えるものである。具体的には、第１の制御部２４が前記文字判定部及び前記送信決定部として機能する。第１の記憶部２５には、第１の制御部２４の演算処理回路がこれらの機能を実行するためのプログラムが第１の制御部２４のソフトウェアの一部として格納される。
【００３２】
図２は、第１の制御部２４による上述のプログラムの実行を含む、本開示の第１の態様における車両用情報提供システム１の処理を示すシーケンス図である。
【００３３】
まず、サーバ２は、サーバ２が携帯端末２０によって利用される各種サービスの機能として、前記文字情報を携帯端末２０に送信する（文字情報送信ステップＳＴ１）。以下、前記文字情報が「件名」、「本文」、「送信者」の各データを含む電子メールデータである例について説明する。各データは、それぞれに前記文字情報を含む。
【００３４】
携帯端末２０は、サーバ２から通信部２１に前記文字情報を受信すると、第１の制御部２４によりサーバ２から受信した前記文字情報が緊急性を示す特定の文字を含むか否かを判定する（文字判定部としての機能の実行；文字判定ステップＳＴ２）。そして、第１の制御部２４により前記文字判定部（文字判定ステップＳＴ２）の判定結果に基づいて、前記特定の文字を含む前記文字情報の送信を決定する（送信決定部としての機能の実行；送信決定ステップＳＴ３）。そして、送信が決定された前記文字情報を第１の無線通信インターフェース２６により情報提供装置３０に送信する（文字情報送信ステップＳＴ４）。ここで、文字判定ステップＳＴ２における「緊急性を示す特定の文字」とは、例えば「緊急」の文字である。このほか、「速報」、「至急」、「急ぎ」、「すぐに」、「ｅｍａｒｇｅｎｃｙ」など緊急の際に用いられる複数種類の文字であってもよく、これらを利用者が任意に選択可能であってもよい。また、前記文字情報が電子メールデータである場合は、文字判定を行うデータ（文字情報）を絞り込んでもよく、選択可能としてもよい。例えば、文字判定を行うデータ（文字情報）を「件名」のみとしてもよく、利用者が「本文」も判定するか選択可能としてもよい。また、送信決定ステップＳＴ３において、文字判定ステップＳＴ２における前記特定の文字を含むか否かの判定結果に加えて、「送信者」が特定の送信者である場合に前記文字情報の送信を決定してもよい。具体的には、「送信者」が携帯端末２０に登録されている場合や国や地方自治体である場合に前記文字情報の送信を決定してもよい。これによれば迷惑メールで前記緊急性を示す特定の文字が意図的に含まれている場合にこれを除外することができる。
【００３５】
情報提供装置３０は、携帯端末２０から送信される前記文字情報を第２の無線通信インターフェース３１で受信すると、第２の制御部３３の制御のもとで第２の表示部３５及び／またはスピーカ３６で利用者に提供する（文字情報提供ステップＳＴ５）。第２の表示部３５による前記文字情報の提供は画像表示による提供であり、スピーカ３６による前記文字情報の提供は音声出力による提供である。なお、前記文字情報の提供としては、前記文字情報の全部が提供されてもよく、一部が提供されてもよい。具体的な例としては、電子メールデータのうち「件名」のみが提供されてもよく、「本文」の一部が提供されてもよい。また、表示可能な文字数の制限がある場合には文字送りで前記文字情報の表示を行ってもよい。さらに、前記文字情報に関連付けられた図形、マークの表示によって前記文字情報を提供してもよい。
【００３６】
以上のように、本開示の第１の態様における車両用情報提供システム１は、車両Ａ内に持ち込まれ、１つまたは複数の文字を示す文字情報を格納するサーバ２から前記文字情報を受信して送信する携帯端末２０と、
車両Ａに備え付けられ、携帯端末２０から送信される前記文字情報を受信して利用者に提供する情報提供装置３０と、を備える車両用情報提供システム１であって、
携帯端末２０は、サーバ２から受信した前記文字情報が緊急性を示す特定の文字を含むか否かを判定する文字判定部（第１の制御部２４）と、前記文字判定部の判定結果に基づいて情報提供装置３０への前記特定の文字を含む前記文字情報の送信を決定する送信決定部（第１の制御部２４）と、を備える。
【００３７】
本開示の第１の態様における車両用情報提供方法は、１つまたは複数の文字を示す文字情報を格納するサーバ２から前記文字情報を車両Ａに持ち込まれた携帯端末２０で受信して送信し、
携帯端末２０から送信される前記文字情報を車両Ａに備え付けられた情報提供装置３０で受信して利用者に提供する車両用情報提供方法であって、
携帯端末２０は、前記サーバから受信した前記文字情報が緊急性を示す特定の文字を含むか否かを判定する文字判定ステップＳＴ２と、文字判定ステップＳＴ２の判定結果に基づいて情報提供装置３０への前記特定の文字を含む前記文字情報の送信を決定する送信決定ステップＳＴ３と、を実行する。
【００３８】
本開示の第１の態様におけるプログラムは、車両内に持ち込まれ、１つまたは複数の文字を示す文字情報を格納するサーバ２から前記文字情報を受信して送信する携帯端末２０と、
車両Ａに備え付けられ、携帯端末２０から送信される前記文字情報を受信して利用者に提供する情報提供装置３０と、を備える車両用情報提供システム１で利用に供されるプログラムであって、
携帯端末２０が備える演算処理回路（第１の制御部２４）に、サーバ２から受信した前記文字情報が緊急性を示す特定の文字を含むか否かを判定する文字判定ステップＳＴ２と、文字判定ステップＳＴ２の判定結果に基づいて情報提供装置３０への前記特定の文字を含む前記文字情報の送信を決定する送信決定ステップＳＴ３と、を実行させる。
【００３９】
本開示の第１の態様によれば、文字情報を含む種々の携帯端末２０向けのサービスを情報源として、車両Ａの利用者に緊急情報を提供することができる。
【００４０】
（本開示の第２の態様）
次に、本開示の第２の態様について、図３を用いて説明する。本開示の第２の態様は、車両用情報提供システム１において、情報提供装置３０が、携帯端末２０から受信した前記文字情報が緊急性を示す特定の文字を含むか否かを判定する文字判定部と、前記文字判定部の判定結果に基づいて前記特定の文字を含む前記文字情報の前記利用者への提供を決定する情報提供決定部と、を備えるものである。具体的には、第２の制御部３３が前記文字判定部及び前記情報提供決定部として機能する。第２の記憶部３４には、第２の制御部３３の演算処理回路がこれらの機能を実行するためのプログラムが第２の制御部３３のソフトウェアの一部として格納される。
【００４１】
図３は、第２の制御部３３による上述のプログラムの実行を含む、本開示の第２の態様における車両用情報提供システム１の処理を示すシーケンス図である。
【００４２】
まず、サーバ２は、サーバ２が携帯端末２０によって利用される各種サービスの機能として、前記文字情報を携帯端末２０に送信する（文字情報送信ステップＳＴ１１）。文字情報送信ステップＳＴ１１は、前述の本開示の第１の態様における文字情報送信ステップＳＴ１と同様である。
【００４３】
携帯端末２０は、サーバ２から通信部２１に前記文字情報を受信すると、第１の制御部２４の制御のもとで前記文字情報を第１の無線通信インターフェース２６により情報提供装置３０に送信する（文字情報送信ステップＳＴ１２）。
【００４４】
情報提供装置３０は、携帯端末２０から送信される前記文字情報を第２の無線通信インターフェース３１で受信すると、第２の制御部３３により携帯端末２０から受信した前記文字情報が緊急性を示す特定の文字を含むか否かを判定する（文字判定部としての機能の実行；文字判定ステップＳＴ１３）。そして、第２の制御部３３により前記文字判定部（文字判定ステップＳＴ１３）の判定結果に基づいて、前記特定の文字を含む前記文字情報の提供を決定する（情報提供決定部としての機能の実行；情報提供決定ステップＳＴ１４）。
ここで、文字判定ステップＳＴ１３における「緊急性を示す特定の文字」とは、例えば「緊急」の文字である。このほか、「速報」、「至急」、「急ぎ」、「すぐに」、「ｅｍａｒｇｅｎｃｙ」など緊急の際に用いられる複数種類の文字であってもよく、これらを利用者が任意に選択可能であってもよい。また、前記文字情報が電子メールデータである場合は、文字判定を行うデータ（文字情報）を絞り込んでもよく、選択可能としてもよい。例えば、文字判定を行うデータ（文字情報）を「件名」のみとしてもよく、利用者が「本文」も判定するか選択可能としてもよい。また、情報提供決定ステップＳＴ１４において、文字判定ステップＳＴ１３における前記特定の文字を含むか否かの判定結果に加えて、「送信者」が特定の送信者である場合に前記文字情報の提供を決定してもよい。具体的には、「送信者」が携帯端末２０に登録されている場合や国や地方自治体である場合に前記文字情報の提供を決定してもよい。これによれば迷惑メールで前記緊急性を示す特定の文字が意図的に含まれている場合にこれを除外することができる。
【００４５】
そして、情報提供装置３０は、提供が決定された前記文字情報を第２の制御部３３の制御のもとで第２の表示部３５及び／またはスピーカ３６で利用者に提供する（文字情報提供ステップＳＴ１５）。文字情報提供ステップＳＴ１５は、前述の本開示の第１の態様における文字情報提供ステップＳＴ５と同様である。
【００４６】
以上のように、本開示の第２の態様における車両用情報提供システム１は、車両Ａ内に持ち込まれ、１つまたは複数の文字を示す文字情報を格納するサーバ２から前記文字情報を受信して送信する携帯端末２０と、
車両Ａに備え付けられ、携帯端末２０から送信される前記文字情報を受信して利用者に提供する情報提供装置３０と、を備える車両用情報提供システムであって、
情報提供装置３０は、携帯端末２０から受信した前記文字情報が緊急性を示す特定の文字を含むか否かを判定する文字判定部（第２の制御部３３）と、前記文字判定部の判定結果に基づいて前記特定の文字を含む前記文字情報の前記利用者への提供を決定する情報提供決定部（第２の制御部３３）と、を備える。
【００４７】
本開示の第２の態様における車両用情報提供方法は、１つまたは複数の文字を示す文字情報を格納するサーバ２から前記文字情報を車両Ａに持ち込まれた携帯端末２０で受信して送信し、
携帯端末２０から送信される前記文字情報を車両Ａに備え付けられた情報提供装置３０で受信して利用者に提供する車両用情報提供方法であって、
情報提供装置３０は、携帯端末２０から受信した前記文字情報が緊急性を示す特定の文字を含むか否かを判定する文字判定ステップＳＴ１３と、文字判定ステップＳＴ１３の判定結果に基づいて前記特定の文字を含む前記文字情報の前記利用者への提供を決定する情報提供決定ステップＳＴ１４と、を実行する。
【００４８】
本開示の第２の態様におけるプログラムは、車両Ａ内に持ち込まれ、１つまたは複数の文字を示す文字情報を格納するサーバ２から前記文字情報を受信して送信する携帯端末２０と、
車両Ａに備え付けられ、携帯端末２０から送信される前記文字情報を受信して利用者に提供する情報提供装置３０と、を備える車両用情報提供システム１で利用に供されるプログラムであって、
情報提供装置３０が備える演算処理回路（第２の制御部３３）に、携帯端末２０から受信した前記文字情報が緊急性を示す特定の文字を含むか否かを判定する文字判定ステップＳＴ１３と、文字判定ステップＳＴ１３の判定結果に基づいて前記特定の文字を含む前記文字情報の前記利用者への提供を決定する情報提供決定ステップＳＴ１４と、を実行させる。
【００４９】
本開示の第２の態様によっても、文字情報を含む種々の携帯端末２０向けのサービスを情報源として、車両Ａの利用者に緊急情報を提供することができる。
【００５０】
以上のように、本開示のいくつかの態様について説明したが、本開示はこれらの態様に限定されるものではなく、本開示の要旨を逸脱しない範囲内で種々の変更（一部の要素の追加や削除を含む）が可能であることは勿論である。
【符号の説明】
【００５１】
Ａ・・・車両
１・・・車両用情報提供システム
２・・・サーバ
２０・・・携帯端末
２４・・・第１の制御部
３０・・・情報提供装置
３３・・・第２の制御部
３５・・・第２の表示部
３６・・・スピーカ
【図１】
2020107964.tif 000003
【図２】
2020107964.tif 000004
【図３】
2020107964.tif 000005